(57)【要約】【課題】遊技玉を出したパチンコ台を識別する。【解決手段】パチンコ台１７から排出された遊技玉を収容する収容箱１４に設けられた情報記憶媒体２１と、パチンコ台の近傍に設けられパチンコ台の識別記号を非接触で情報記憶媒体に記憶させるように構成された情報書込み手段３１と、収容箱に入れられた遊技玉を計数する計数機１６の近傍に設けられ情報記憶媒体に記憶されたパチンコ台の識別記号を非接触で読出すように構成された情報読取り手段４１とを備える。情報記憶媒体がアンテナコイルとメモリを備えたＩＣチップとを有し、情報書込み手段が送信アンテナとデータ送信装置とを備え、情報読取り手段が送受信アンテナとデータ送受信装置とを備える。情報記憶媒体が収容箱１４の底面に設けられ、送信アンテナ３２がパチンコ台１７前部下方の台座１０ｄに埋設され、送受信アンテナが計数機前部に設けられる。【選択図】　図１
2004008527.tif 000002
【特許請求の範囲】
【請求項１】
パチンコ台（１７）から勝玉として排出された遊技玉を収容する収容箱（１４）に設けられた情報記憶媒体（２１）と、
前記パチンコ台（１７）の近傍に設けられ前記パチンコ台（１７）の識別記号を非接触で前記情報記憶媒体（２１）に記憶させるように構成された情報書込み手段（３１）と、
前記収容箱（１４）に入れられた遊技玉を計数する計数機（１６）又はその近傍に設けられ前記情報記憶媒体（２１）に記憶された前記パチンコ台（１７）の識別記号を非接触で読出すように構成された情報読取り手段（４１）と
を備えたことを特徴とするパチンコ台の識別装置。
【請求項２】
情報記憶媒体（２１）がアンテナコイル（２２）と前記アンテナコイル（２２）に接続されメモリ（２３ｆ）を備えたＩＣチップ（２３）とを有し、
情報書込み手段（３１）が、パチンコ台（１７）近傍に設けられ前記アンテナコイル（２２）に電波を送信可能に構成された送信アンテナ（３２）と、前記送信アンテナ（３２）を介して前記アンテナコイル（２２）に特定周波数の電波を送信して前記ＩＣチップ（２３）を活性化しかつ前記ＩＣチップ（２３）のメモリ（２３ｆ）に対して前記パチンコ台（１７）の識別記号に関するデータの書込みを行ように構成されたデータ送信装置（３３）とを備え、
情報読取り手段（４１）が、計数機（１６）又はその近傍に設けられ前記アンテナコイル（２２）に電波を送信しかつ前記アンテナコイル（２２）からの電波を受信可能に構成された送受信アンテナ（４２）と、前記送受信アンテナ（４２）を介して前記アンテナコイル（２２）に特定周波数の電波を送信して前記ＩＣチップ（２３）を活性化しかつ前記ＩＣチップ（２３）のメモリ（２３ｆ）に対してデータの読出しを行い前記送受信アンテナ（４２）を介して受信する前記ＩＣチップ（２３）からの応答信号により前記パチンコ台（１７）の識別記号に関するデータを読出すように構成されたデータ送受信装置（４３）とを備えた請求項１記載のパチンコ台の識別装置。
【請求項３】
情報記憶媒体（２１）が収容箱（１４）の底面に設けられ、送信アンテナ（３２）がパチンコ台（１７）前部下方のテーブル上に前記パチンコ台（１７）の幅方向に設けられ前記収容箱（１４）を配置可能に構成された台座（１０ｄ）の前記収容箱（１４）の配置される部分に埋設され、送受信アンテナ（４２）が計数機（１６）前部に設けられた請求項２記載のパチンコ台の識別装置。
【発明の詳細な説明】
【０００１】
【発明の属する技術分野】
本発明は、パチンコ店に設けられ、パチンコ台から勝玉として排出されて収容箱に入れられた遊技玉の計数機による計数に際してその遊技玉を排出したパチンコ台を識別する識別装置に関するものである。
【０００２】
【従来の技術】
従来より、パチンコ店には、多数のパチンコ台が設置され、所定のパチンコ台で遊技した際に獲得した遊技玉は収容箱に一旦貯められて、遊技終了後に一括して計数機に投入され、その数により所望の景品等を得ることができるようになっている。一方、近年におけるパチンコ店では、それぞれのパチンコ台における出玉情報を管理用コンピュータにより管理しており、顧客サービスの一環としてその出玉情報をインターネット上に配信したり、或いはパチンコ店に設けられたディスプレイに表示するようなことが行われている。この結果、インターネットにより出玉情報を得た顧客がそのデータを配信したパチンコ店に出向き、更にディスプレイに表示されている出玉情報に基づいて所望のパチンコ台で遊技することが期待される。
【０００３】
【発明が解決しようとする課題】
しかし、上記管理用コンピュータによる管理される出玉情報は、個々のパチンコ台が１日に出した遊技玉の数であり、顧客がどのパチンコ台でどれくらいの遊技玉を得たか否かの情報を管理することはできなかった。即ち、従来では収容箱に入れられた遊技玉の計数機による計数に際してその遊技玉を出したパチンコ台を識別することができなかったため、ある特定のパチンコ台で複数の顧客が入れ替わり遊技した場合、管理用コンピュータにより管理されたそのパチンコ台における出玉情報は、その複数の顧客により出された遊技玉の１日における総数であり、任意の顧客がそのパチンコ台で実際に出した遊技玉に関する情報を得ることができなかった。このため、従来では任意の顧客一人一人における出玉情報をインターネット上に配信したり、或いはパチンコ店に設けられたディスプレイに表示することができなかった。また、管理用コンピュータによる出玉情報と特定のパチンコ台から勝玉として排出された遊技玉の数の整合性を確認して、収容箱に貯められた遊技玉の一部が他店から持ち込まれた遊技玉である場合のような不正な手段で遊技玉を得るような行為を排除することが望まれる。
本発明の目的は、収容箱に入れられた遊技玉の計数機による計数に際してその遊技玉を出したパチンコ台を識別し得るパチンコ台の識別装置を提供することにある。
本発明の別の目的は、管理用コンピュータを有するパチンコ店において遊技玉を出したパチンコ台を識別し、不正な手段で遊技玉を得るような行為を排除し得るパチンコ台の識別装置を提供することにある。
【０００４】
【課題を解決するための手段】
請求項１に係る発明は、図１及び図３に示すように、パチンコ台１７から勝玉として排出された遊技玉を収容する収容箱１４に設けられた情報記憶媒体２１と、パチンコ台１７の近傍に設けられパチンコ台１７の識別記号を非接触で情報記憶媒体２１に記憶させるように構成された情報書込み手段３１と、収容箱１４に入れられた遊技玉を計数する計数機１６又はその近傍に設けられ情報記憶媒体２１に記憶されたパチンコ台１７の識別記号を非接触で読出すように構成された情報読取り手段４１とを備えたことを特徴とするパチンコ台の識別装置である。
この請求項１に記載されたパチンコ台の識別装置では、情報書込み手段３１によりパチンコ台１７の識別記号を非接触で情報記憶媒体２１に記憶させ、その情報記憶媒体２１が設けられた収容箱１４にパチンコ台１７から勝玉として排出された遊技玉を収容して計数機１６の近傍にまで運ぶ。そして、収容箱１４に入れられた遊技玉を計数機１６により計数すると、計数機１６又はその近傍に設けられた情報読取り手段４１は情報記憶媒体２１に記憶されたパチンコ台１７の識別記号を非接触で読出す。これによりその遊技玉を出したパチンコ台１７を識別して特定することが可能になる。
【０００５】
請求項２に係る発明は、請求項１に係る発明であって、更に図２及び図４に示すように、情報記憶媒体２１がアンテナコイル２２とアンテナコイル２２に接続されメモリ２３ｆを備えたＩＣチップ２３とを有し、情報書込み手段３１が、パチンコ台１７近傍に設けられアンテナコイル２２に電波を送信可能に構成された送信アンテナ３２と、送信アンテナ３２を介してアンテナコイル２２に特定周波数の電波を送信してＩＣチップ２３を活性化しかつＩＣチップ２３のメモリ２３ｆに対してパチンコ台１７の識別記号に関するデータの書込みを行ように構成されたデータ送信装置３３とを備え、情報読取り手段４１が、計数機１６又はその近傍に設けられアンテナコイル２２に電波を送信しかつアンテナコイル２２からの電波を受信可能に構成された送受信アンテナ４２と、送受信アンテナ４２を介してアンテナコイル２２に特定周波数の電波を送信してＩＣチップ２３を活性化しかつＩＣチップ２３のメモリ２３ｆに対してデータの読出しを行い送受信アンテナ４２を介して受信するＩＣチップ２３からの応答信号によりパチンコ台１７の識別記号に関するデータを読出すように構成されたデータ送受信装置４３とを備えたパチンコ台の識別装置である。
【０００６】
この請求項２に記載されたパチンコ台の識別装置では、情報書込み手段３１は送信アンテナ３２を介して情報記憶媒体２１のアンテナコイル２２に向けて質問信号を特定周波数の電波により送信する。送信された質問信号の電波は情報記憶媒体２１のアンテナコイル２２に受信され、この受信によりＩＣチップ２３が活性化しメモリ２３ｆにパチンコ台１７の識別記号に関するデータを記憶する。
情報読取り手段４１は、送受信アンテナ４２を介して情報記憶媒体２１のアンテナコイル２２に向けて質問信号を特定周波数の電波により送信する。送信された質問信号の電波は情報記憶媒体２１のアンテナコイル２２に受信され、この受信によりＩＣチップ２３が活性化し、メモリ２３ｆからパチンコ台１７の識別記号に関するデータをアンテナコイル２２から送出する。アンテナコイル２２から送信されたデータは送受信アンテナ４２が受信し、情報読取り手段４１は情報記憶媒体２１からのそのデータにより遊技玉を出したパチンコ台１７を識別して特定する。
【０００７】
請求項３に係る発明は、請求項２に係る発明であって、情報記憶媒体２１が収容箱１４の底面に設けられ、送信アンテナ３２がパチンコ台１７前部下方のテーブル上にパチンコ台１７の幅方向に設けられ収容箱１４を配置可能に構成された台座１０ｄの収容箱１４の配置される部分に埋設され、送受信アンテナ４２が計数機１６前部に設けられたパチンコ台の識別装置である。
この請求項３に記載されたパチンコ台の識別装置では、台座１０ｄ上に収容箱１４を配置すると、情報書込み手段３１がパチンコ台１７の識別記号を非接触で情報記憶媒体２１に記憶させる。収容箱１４を図３の実線矢印で示すように反転させながら遊技玉を計数機１６に投入すると、収容箱１４は計数部１６ａに設けられた送受信アンテナ４２の上方を移動し、情報読取り手段４１は情報記憶媒体２１に記憶されたパチンコ台１７の識別記号を非接触で読出す。
【０００８】
【発明の実施の形態】
次に本発明の実施の形態を図面に基づいて説明する。
図５に示すように、パチンコ店１０にはパチンコ島１１が複数列設けられ、その出入口１０ａ近傍にはそのパチンコ店１０における情報を表示するディスプレイ１２が設けられる。また、パチンコ店１０の中には出玉の数に応じた景品を交換する景品交換所１３が設けられ、そのカウンタテーブル１３ａ上には収容箱１４（図１）に入れられた遊技玉の計数のための計数機１６が配置される。パチンコ島１１は複数のパチンコ台１７が並べられて形成され（図１）、このパチンコ店１０には管理用コンピュータが設けられる。この管理用コンピュータはこのパチンコ店１０の全てのパチンコ台１７の出玉情報を管理用メモリにデータベースとして蓄積して管理するように構成され、その情報の一部を上述したディスプレイ１２に表示するようになっている。
【０００９】
本発明のパチンコ台の識別装置はこのようなパチンコ店１０に設けられる装置であって、情報記憶媒体２１（図２）と、情報書込み手段３１（図１）と、情報読取り手段４１（図３及び図４）とを備える。図２に示すように、情報記憶媒体２１は収容箱１４に設けられる。この実施の形態における情報記憶媒体２１は、アンテナコイル２２とそのアンテナコイル２２に接続されメモリ２３ｆ（図４）を備えたＩＣチップ２３とを有する。収容箱１４は非磁性かつ非導電性のプラスチックの成型品でありその底部１４ａがいわゆる上げ底形状に形成される。アンテナコイル２２及びＩＣチップ２３は樹脂ケース２４に入れられた状態で収容箱１４の上げ底に形成された底部１４ａの下面に接着される。ここで、アンテナコイル２２は磁性材料により平板状に形成された磁芯部材２２ａと、磁芯部材２２ａにこの磁芯部材２２ａの平面内に延びる軸線を中心として螺旋状に巻回されたコイル本体２２ｂとを有する。
【００１０】
一方、ＩＣチップ２３は、図４に示すように、電源回路２３ａと無線周波数（ＲＦ）回路２３ｂと変調回路２３ｃと復調回路２３ｄとＣＰＵ２３ｅとこれに接続されたパチンコ台１７の識別記号を記憶するメモリ２３ｆを有する。電源回路２３ａはコンデンサ（図示せず）を内蔵し、このコンデンサはアンテナコイル２２とともに共振回路を形成する。このコンデンサにはアンテナコイル２２が特定の共振周波数の電波を受信したときにその電磁誘導で生じる電力が充電される。電源回路２３ａはこの電力を整流し安定化してＣＰＵ２３ｅに供給し、ＩＣチップ２３を活性化する。メモリ２３ｆはＲＯＭ（ｒｅａｄ　ｏｎｌｙ　ｍｅｍｏｒｙ）、ＲＡＭ（ｒａｍｄｏｍ−ａｃｃｅｓｓ　ｍｅｍｏｒｙ）及びＥＥＰＲＯＭ（ｅｌｅｃｔｒｉｃａｌｌｙ　ｅｒａｓａｂｌｅ　ｐｏｇｒａｍａｂｌｅ　ｒｅａｄ　ｏｎｌｙ　ｍｅｍｏｒｙ）を含み、ＣＰＵ２３ｅの制御の下で情報書込み手段３１及び情報読取り手段４１からの電波のデータ通信による書込み及び読出しコマンドに応じて情報をメモリ２３ｆに記憶し、及び記憶された情報の読出しが行われるようになっている。
【００１１】
図１に示すように、パチンコ島１１を構成する複数のパチンコ台１７は遊技玉販売装置１０ｂを介して並列に並べられ、その上側にパチンコ台１７の異常を知らせる異常警報ランプをかねたスイッチ１０ｃが設けられ、パチンコ台１７前部下方には収容箱１４を配置可能に構成された台座１０ｄが幅方向に設けられる。パチンコ台１７には出された遊技玉を貯留する受皿１７ａが設けられ、その受皿１７ａに入りきらないほど遊技玉が出された場合にその台座１０ｄ上に配置された収容箱１４にそのあふれた遊技玉を貯留するようになっている。
【００１２】
情報書込み手段３１はパチンコ台１７の近傍に設けられそのパチンコ台１７の識別記号を非接触で情報記憶媒体２１に記憶させるように構成される。この実施の形態における情報書込み手段３１は送信アンテナ３２とデータ送信装置３３とを有し、送信アンテナ３２はパチンコ台１７の前部下方に設けられた台座１０ｄの収容箱１４の配置される部分に埋設される。データ送信装置３３は無線周波数（ＲＦ）回路３３ｂと変調回路３３ｃと復調回路３３ｄを備え、更にＣＰＵ３３ｅとこれに接続されたメモリ３３ｆ及びタイマ３３ｈを有する。ＣＰＵ３３ｅはパチンコ店１０の管理用コンピュータ１０ｅに接続され、この情報書込み手段３１は、管理用コンピュータ１０ｅの指令により所定時間毎に送信アンテナ３２を介して情報記憶媒体２１のアンテナコイル２２に特定周波数の電波を送信してＩＣチップ２３を活性化し、かつそのＩＣチップ２３のメモリ２３ｆに対してパチンコ台１７の識別記号を書込むように構成される。
【００１３】
情報読取り手段４１は、図３に示す計数機１６の近傍に設けられる。計数機１６は実際に遊技玉を計測する計測部１６ａとその計数部１６ａで数えられた数値を印刷して打ち出すプリント部１６ｂとを有し、計数部１６ａには遊技玉を入れる凹部１６ｃとその数を表示する表示部１６ｄを有し、プリント部１６ｂにはシートを打ち出す孔１６ｅとその計数数値をリセットするためのリセットスイッチ１６ｆが設けられ、シートへ印刷する内容を表示するディスプレイ１６ｇが設けられる。
【００１４】
この実施の形態における情報読取り手段４１は、図４に示すように、送受信アンテナ４２と上述したデータ送信装置３３と同様な構成を有するデータ送受信装置４３とを備え、送受信アンテナ４２は計数機１６を構成する計数部１６ａの前部に設けられる（図３）。データ送受信装置４３は、無線周波数（ＲＦ）回路４３ｂと変調回路４３ｃと復調回路４３ｄ、及びこれらを制御するＣＰＵ４３ｅとを備える。このＣＰＵ４３ｅはプリント部１６ｂにおけるディスプレイ１６ｇとパチンコ店１０の管理用コンピュータ１０ｅに接続される。この情報読取り手段４１は、送受信アンテナ４２を介して情報記憶媒体２１のアンテナコイル２２に特定周波数の電波を送信してＩＣチップ２３を活性化し、かつそのＩＣチップ２３のメモリ２３ｆに対してデータの読出しを行い送受信アンテナ４２を介して受信するＩＣチップ２３からの応答信号によりパチンコ台１７の識別記号に関する情報を非接触で読出すように構成される。
【００１５】
このように構成されたパチンコ台の識別装置の動作を説明する。
受皿１７ａに入りきらないほどパチンコ台１７から遊技玉が出された場合、その遊技者はパチンコ台１７の手前下方に設けられた台座１０ｄ上に収容箱１４を配置し、受皿１７ａ下部を開放して遊技玉を落下させ、収容箱１４の中にそのあふれた遊技玉を貯留する。台座１０ｄ上に収容箱１４が配置されると、情報書込み手段３１は、収容箱１４の下方に位置する送信アンテナ３２を介して情報記憶媒体２１のアンテナコイル２２に向けて質問信号を特定周波数の電波により送信する。この実施の形態における質問信号は２値化されたデジタル信号である。情報書込み手段３１から発せられるデジタル信号は、図示しない信号発生器から発せられ変調回路３４で変調を受ける。ＲＦ回路３３ではこの変調した信号を増幅して送信アンテナ３２から送信する。この変調には例えばＡＳＫ（振幅変調）、ＦＳＫ（周波数変調）又はＰＳＫ（位相変調）が挙げられる。
【００１６】
送信された質問信号の電波は情報記憶媒体２１のアンテナコイル２２に受信され、この受信により、電源回路２３ａのコンデンサにはその電磁誘導で生じる電力が充電される。電源回路２３ａはこの電力を整流し安定化して、ＣＰＵ２３ｅに供給し、ＩＣチップ２３を活性化する。次いでＩＣチップ２３の無線周波数回路２３ｂでは復調に必要な信号のみを取込み、復調回路２３ｄで元のデジタル信号を再現させてメモリ２３ｆにパチンコ台１７の識別記号に関するデータを記憶する。ここでパチンコ台に関する識別記号はパチンコ台１７に個別に付与された台番号である。
【００１７】
このようにしてメモリ２３ｆにパチンコ台１７の識別記号に関するデータが記憶された状態で、そのパチンコ台で遊技した際に獲得した遊技玉は収容箱１４に一旦貯められる。その後、遊技終了した際にその遊技玉は収容箱１４に収容された状態で計数機１６まで運ばれ、その計数機１６に投入されて計数される。図３に示すように、遊技玉を計数機１６に投入する際に、店員はこれから計数するためにリセットスイッチ１６ｆを押し表示部１６ｄに表示された数を「０」にする。そして収容箱１４を図３の実線矢印で示すように反転させながら遊技玉を計数機１６に投入すると、必然的に収容箱１４は計数部１６ａに設けられた送受信アンテナ４２の上方を移動する。このとき情報読取り手段４１は、収容箱１４の下方に位置する送受信アンテナ４２を介して情報記憶媒体２１のアンテナコイル２２に向けて質問信号を特定周波数の電波により送信する。情報読取り手段４１から発せられるデジタル信号は、図示しない信号発生器から発せられ変調回路４３ｃで変調を受ける。無線周波数回路４３ｂではこの変調した信号を増幅して送受信アンテナ４２から送信する。この変調には例えばＡＳＫ（振幅変調）、ＦＳＫ（周波数変調）又はＰＳＫ（位相変調）が挙げられる。
【００１８】
送信された質問信号の電波は情報記憶媒体２１のアンテナコイル２２に受信され、この受信により、電源回路２３ａのコンデンサにはその電磁誘導で生じる電力が充電される。電源回路２３ａはこの電力を整流し安定化して、ＣＰＵ２３ｅに供給し、ＩＣチップ２３を活性化する。次いでＩＣチップ２３の無線周波数回路２３ｂでは復調に必要な信号のみを取込み、復調回路２３ｄで元のデジタル信号を再現させてメモリ２３ｆからパチンコ台１７の識別記号に関するデータを送信する。このデータの送信は、２値化された識別記号を変調回路２３ｃで変調し、無線周波数回路２３ｂで増幅してアンテナコイル２２から送出することにより行われる。
【００１９】
アンテナコイル２２から送信されたデータは送受信アンテナ４２が受信し、情報読取り手段４１は情報記憶媒体２１からのそのデータにより遊技玉を出したパチンコ台１７を識別してディスプレイ１６ｇに表示するとともに管理用コンピュータ１０ｅに出力する。管理用コンピュータ１０ｅでは、管理用メモリにデータベースとして蓄積されたそのパチンコ台１７における出玉情報と計測機１６により計測された数とを比較し、その差が許容範囲内であれば正規なものとして計数機１６における計測部１６ａで数えられた数値をプリント部１６ｂから打ち出させるとともに、その顧客がそのパチンコ台１７で実際に出した遊技玉に関する情報を出入口１０ａ近傍に設けられたディスプレイ１２に表示する。一方、その差が許容範囲を超える場合には、不正な手段により取得した遊技玉であるとして、その遊技玉に関する数値のプリント部１６ｂからの打ち出しを拒否し、その内容をプリント部１６ｂにおけるディスプレイ１６ｇに表示する。
なお、上述した実施の形態では、非磁性かつ非導電性のプラスチックの成型品からなる収容箱１４を用いて説明したが、収容箱１４の底部１４ａ下面に接着されるアンテナコイル２２の特性に影響を与えない限り、収容箱１４は木製のものであっても良い。
【００２０】
【発明の効果】
以上述べたように、本発明によれば、パチンコ台から勝玉として排出された遊技玉を収容する収容箱に設けられた情報記憶媒体と、パチンコ台の近傍に設けられパチンコ台の識別記号を非接触で情報記憶媒体に記憶させるように構成された情報書込み手段と、収容箱に入れられた遊技玉を計数する計数機の近傍に設けられ情報記憶媒体に記憶されたパチンコ台の識別記号を非接触で読出すように構成された情報読取り手段とを備えたので、情報書込み手段によりパチンコ台の識別記号を非接触で情報記憶媒体に記憶させ、その情報記憶媒体が設けられた収容箱にパチンコ台から勝玉として排出された遊技玉を収容して計数機の近傍にまで運んで計数すると、その近傍に設けられた情報読取り手段は情報記憶媒体に記憶されたパチンコ台の識別記号を非接触で読出す。これによりその遊技玉を出したパチンコ台を識別して特定することができる。
【００２１】
この場合、情報記憶媒体がアンテナコイルとＩＣチップとを有し、情報書込み手段が送信アンテナとデータ送信装置とを備え、情報読取り手段が送受信アンテナとデータ送受信装置とを備えれば、情報書込み手段は送信アンテナを介して情報記憶媒体のアンテナコイルに向けて質問信号を特定周波数の電波により送信すしてＩＣチップのメモリにパチンコ台の識別記号に関するデータを記憶させ、情報読取り手段は、送受信アンテナを介して情報記憶媒体のアンテナコイルに向けて質問信号を特定周波数の電波により送信してＩＣチップのメモリからパチンコ台の識別記号に関するデータをアンテナコイルから送出させ、そのパチンコ台を識別して特定することができる。
更に、情報記憶媒体を収容箱の底面に設け、送信アンテナをパチンコ台前部下方の台座の収容箱の配置される部分に埋設し、送受信アンテナを計数機前部に設ければ、台座上に収容箱を配置すると、情報書込み手段がパチンコ台の識別記号を非接触で情報記憶媒体に記憶させ、その収容箱を用いて遊技玉を計数機に投入すると、情報読取り手段は情報記憶媒体に記憶されたパチンコ台の識別記号を非接触で読出すことができる。
【図面の簡単な説明】
【図１】本発明のパチンコ台の識別装置における情報記憶媒体と情報書込み手段との関係を示す構成図。
【図２】その情報記憶媒体が設けられた収容箱の一部断面図。
【図３】その収容箱と計数機の斜視図。
【図４】その情報記憶媒体と情報読取り手段との関係を示す構成図。
【図５】その装置が設けられるパチンコ店を示す構成図。
【符号の説明】
１０ｄ　台座
１４　収容箱
１６　計数機
１７　パチンコ台
２１　情報記憶媒体
２２　アンテナコイル
２３　ＩＣチップ
２３ｆ　メモリ
３１　情報書込み手段
３２　送信アンテナ
３３　データ送信装置
４１　情報読取り手段
４２　送受信アンテナ
４３　データ送受信装置
【図１】
2004008527.tif 000003
【図２】
2004008527.tif 000004
【図３】
2004008527.tif 000005
【図４】
2004008527.tif 000006
【図５】
2004008527.tif 000007